(57)【要約】      （修正有）【課題】土壌の大幅な改良を可能とした、無機素材による安価で安全な土壌改良剤を提供する。【解決手段】主成分が塩化マグネシウム及び硫酸第一鉄であり、鉄ミョウバン及びカリミョウバンを加えた土壌改良剤とした。より具体的には、該土壌改良剤１０００リットル中、各成分の混合割合を、塩化マグネシウム約２５０ｋｇ、硫酸第一鉄約１５０ｋｇ、鉄ミョウバン約５ｋｇ、カリミョウバン約５ｋｇとした。また、牛糞、鶏糞、豚糞、魚粉、油粕、骨粉、おがくず、米ぬかの少なくとも２種以上をよく攪拌配合し、これに本考案の土壌改良剤を２００倍に希釈した溶液をかけ、アンモニア臭がなくなるまで土壌改良剤の散布と切り返しを行い完熟堆肥・肥料を作成した。【選択図】図２
0003163227.tif 000002
【実用新案登録請求の範囲】
【請求項１】
主成分が塩化マグネシウムおよび硫酸第一鉄であり、鉄ミョウバン及びカリミョウバンを加えてなる天然ミネラル鉄分主体の土壌改良剤。
【請求項２】
請求項１に記載の土壌改良剤において、該土壌改良剤１０００リットル中、各成分の混合割合が、塩化マグネシウム約２５０ｋｇ、硫酸第一鉄約１５０ｋｇ、鉄ミョウバン約５ｋｇ、カリミョウバン約５ｋｇであることを特徴とする土壌改良剤。
【請求項３】
牛糞、鶏糞、豚糞、魚粉、油粕、骨粉、おがくず、米ぬかの少なくとも２種以上をよく攪拌配合し、小高く積み上げ、これに請求項１又は２記載の本考案の土壌改良剤を２００倍に希釈した溶液を材料がしっとりと湿る程度にかけ、ビニールを表面にかぶせ、時々切り替えしを行い、アンモニア臭がなくなるまで土壌改良剤の散布と切り返しを行い作成することを特徴とする完熟堆肥・肥料。
【考案の詳細な説明】
【技術分野】
【０００１】
本願考案は土壌の改良剤に関し、特に無機材料により土壌の大幅な改良を可能とした改良剤に関する。
【背景技術】
【０００２】
近年、土壌において見られる障害としては、連作障害、塩類集積障害、病害虫被害、未熟有機物分解時におけるアンモニア（窒素）ガス発生による障害、など多くのものがある。
しかしこれらを改良することは容易ではなく、化学肥料の使用によっては一時的に採取量の改善が見られても、結局土がやせてしまったり、人畜に対する薬害が問題となったりと、問題点を抱えていた。また種々の土壌改良資材は存在するが、それぞれ特定の用途、ｐＨの矯正、土壌団粒化促進、透水性の改善、保水性の向上、陽イオン交換容量の増大など限られた範囲での効果しかなく、さらには非常に高価であったりと問題があった。
【０００３】
本考案は用途が広範囲にわたり、安価で安全な無機素材の土壌改良剤を提供するものである。
【先行技術文献】
【特許文献】
【０００４】
【特許文献１】特開２００５−７５８４８号
【考案の概要】
【考案が解決しようとする課題】
【０００５】
上記特許出願は、本願と同様な土壌改良剤であるが、主にゼオライトを用いたものであるため、基本的な構成が本願とは異なるものである。また、本願の特徴であるニ価鉄の安定化方法を用いた土壌改良剤は記載されていない。
また、土壌の改良において最も重要な土壌のｐＨ調整は、生石灰・硫黄等を用いて行っていたが、硫黄を使用すると石灰の塊（チョーク状）ができていた。これは生石灰をｐＨの調整に使用するために起こる。生石灰が土壌と混ぜ合わされることで消石灰に変わり、多量の水分を吸収し、時間とともに石灰と土がしっかりと結合し、硬くなる。この状態で硫黄を使用するため、土壌中にチョーク状のものができる。また、一部の試験場では硫酸を使用しているが、一般の生産者では硫酸は危険で扱いにくい。したがって、石灰の塊が出来ず、危険でないｐＨの調整方法が望まれていた。
ｐＨの調整資材は他にもあるが、本考案の土壌改良剤の土壌に対する効果はそれとは比較にならないほどのよい結果をもたらしている。
さらに本考案の土壌改良剤に含まれる二価の鉄が植物に直接働きかけるため、植物中葉緑体のリンタンパクと結合し、葉緑素の形成に大きく貢献する。さらに植物体中に適度に鉄分が吸収されると、酸化と還元（Ｆｅ２＋とＦｅ３＋）とに相互変化が活発化するため、植物体も活性化される。
軟弱野菜や塩基に弱い植物の窒素過剰害が増加傾向にあるが、鉄を安定して供給することにより窒素の代謝作用を大幅に改善することができる。植物体の鉄が欠乏するとタンパクの合成反応が阻害され、植物体内にて可溶性窒素化合物が蓄積するため病気にかかりやすくなる。
さらに、リン酸肥料過多時における植物体内の鉄欠乏症も未然に防止できる。（植物中でもリン酸が過剰に吸収されると、土壌中と同じように鉄と結合する。するとリン酸だけが過剰に吸収されているため、鉄が不足する。）
また、土壌改良剤は、一般に土壌の改良にのみ作用し、農家、畜産農家にとって必要なその他の消臭作用や、防虫作用を望む場合は、別の化学薬品を購入しているのが一般であった。従って、多用途に使用可能な、天然由来成分の改良剤が望まれていた。
【課題を解決するための手段】
【０００６】
本考案に係る天然ミネラル鉄分主体の土壌改良剤は、主成分が塩化マグネシウムおよび硫酸第一鉄であり、鉄ミョウバン及びカリミョウバンを加えてなることを要旨とする。
【０００７】
また、本考案に係る天然ミネラル鉄分主体の土壌改良剤は、前記土壌改良剤において、土壌改良剤１０００リットル中、各成分の混合割合が、塩化マグネシウム約２５０ｋｇ、硫酸第一鉄約１５０ｋｇ、鉄ミョウバン約５ｋｇ、カリミョウバン約５ｋｇであることを要旨とする。
【０００８】
また、本考案に係る土壌改良剤を用いて作成する完熟堆肥・肥料は、牛糞、鶏糞、豚糞、魚粉、油粕、骨粉、おがくず、米ぬかの少なくとも２種以上をよく攪拌配合し、小高く積み上げ、これに前記土壌改良剤を２００倍に希釈した溶液を材料がしっとりと湿る程度にかけ、ビニールを表面にかぶせ、時々切り替えしを行い、アンモニア臭がなくなるまで土壌改良剤の散布と切り返しを行い作成することを要旨とする。
【考案の効果】
【０００９】
本考案は鉄・塩化マグネシウムを主成分とした液体であるため、液体そのものも濃度に関わらず無害であり、有機農法が維持でき、液状で二価の鉄を安定させたという理由で含鉄液体土壌改良資材としての保存性がある。特に本土壌改良剤は緑色の液体であり、これは二価鉄を安定して多く含むことを意味している。二価鉄は植物に直接作用し、吸収されるため、酸素と結合している三価鉄より好ましい。
また本考案の土壌改良剤は強酸性であるため（ｐＨ１．４２）、農薬や化学肥料の多投でアルカリ性に傾いた土壌（約ｐＨ７．１〜）を中和し、適正値（約ＰＨ５．０〜７．５））に保つことが可能となる。さらに、成分中に植物に必要な微量元素であり、葉緑素の構成元素であるマグネシウムを有する。そのため、光合成を高め、生育を促進し、微生物の活性化を促進する。また、マグネシウムは酵素の活性化に重要な元素であり、かんがい水や雨水に溶けて流亡しやすいため、本考案による補給が土壌にとって効果的となる。その結果、収穫物の糖度・秀品率・日持ち等が大幅に向上し土壌を保肥力の高い団粒構造にする。さらに、本考案に含まれるミョウバンの作用により、防腐効果、殺菌効果があり、水質浄化作用もある。さらには、蓄舎、蓄糞尿布、厩肥舎など悪臭の発生する場所への散布により、消臭効果がある。本願考案は、土壌の改良のほかに消臭、防虫、ハエ、蛆の発生防止などの効果も備えているため、多用途に使用可能で非常に好ましい。また、塩類集積土壌における過剰な塩基を中和し土壌水中のｐＨを適正に保つことが可能となる。その結果土壌は、ｐＨ依存型の特定病原菌や病害虫の増加を抑え連作が可能となり好ましい。さらに、本考案により処理した種子は、発根量が増し、秀逸な作物が生産可能となる。
【図面の簡単な説明】
【００１０】
【図１】本考案の土壌改良剤の蛍光X線法による成分分析結果を示した図である。
【図２】本考案の土壌改良剤の蛍光X線法による成分分析結果を示した図である。
【図３】本考案の土壌改良剤の蛍光X線法による成分分析結果を示した図である。
【図４】本考案の土壌改良剤の蛍光X線法による成分分析結果を示した図である。
【図５】本考案の土壌改良剤の蛍光X線法による成分分析結果を示した図である。
【図６】本考案の土壌改良剤のX線回折法における分析結果を示した図である。
【図７】対照の塩化マグネシウムのX線回折法における分析結果を示した図である。
【図８】本考案の土壌改良剤のイオンクロマト法における分析結果を示した図である。
【図９】本考案の土壌改良剤をハウス小ねぎ栽培に使用する前の図である。
【図１０】本考案の土壌改良剤をハウス小ねぎ栽培に使用した結果を示した図である。
【図１１】本考案の土壌改良剤をアスパラ栽培に使用した結果を示した図面である。
【図１２】本考案の土壌改良剤をりんご栽培に使用した結果を示した図である。
【図１３】本考案の土壌改良剤をイチゴ栽培に使用した結果を示した図面である。
【考案を実施するための形態】
【００１１】
本考案は液体であり、塩化マグネシウムに硫酸アルミニウムカリウム（ミョウバン）と鉄ミョウバン、硫酸第一鉄を混合して作られる。混合割合は、以下に示す。
本考案の液体約（原料の比重が水より重いためと製造中に蒸発する水の量が多いため）１０００リットル製造に必要な原料は以下の通りである。
鉄ミョウバン  約５ｋｇ
カリミョウバン  約５ｋｇ
硫酸第一鉄  約１５０ｋｇ
塩化マグネシウム  約２５０ｋｇ
水分        ５９０ｋｇ
これらの成分はそれぞれ、鉄分として、硫酸第一鉄、鉄ミョウバンを使用し、カリミョウバンにより防腐効果、殺菌効果、水質浄化作用、アンモニア臭の中和分解、防虫効果、消臭作用、細胞の引き締めと水揚げを良くする効果を得、マグネシウムにより微生物の活性化と光合成の活発化の作用を示す。
【００１２】
この混合割合が最適であるが、その理由としては、カリミョウバンがこれ以上少なすぎると硫酸第一鉄がうまく安定しない。また、２種類のミョウバンを用いた理由としては、まず、鉄ミョウバンを使用した理由としては、本考案の主な成分を鉄分にするため、硫酸第一鉄を利用するとともに鉄ミョウバンを使用した。硫酸第一鉄とカリミョウバンだけでは鉄分が少なく、さらに本考案の液体が酸化しやすいと考え、化合物である鉄ミョウバンを加えた。硫酸第１鉄については、以前より含鉄土壌改良剤として利用されていることと、植物にとって非常に重要な要素であるという点を、マグネシウムと組み合わせることによりさらに改良し、開発したものである。
【００１３】
本土壌改良資材は鉄分として硫酸第一鉄を主体として使用している。硫酸第一鉄は粉末状で薄い緑色をしている。硫酸第一鉄は、粉末状では酸素と結合しにくい（していない）二価の状態で安定している。しかし、この硫酸第一鉄を水に溶かしこむと、水中の酸素と結合して、三価の鉄に変化する（酸化する）。このような状態となると、硫酸第一鉄を溶かし込んだ溶液はすぐに鉄錆色に変化する。こうなると植物に吸収されない三価の（酸化鉄）状態となり、さらには資材としての利便性や保存性にも課題が残される。本土壌改良資材はこのような問題点を解決するものである。現在までの技術では、二価の鉄を液状で安定させるということは非常に困難とされてきた。しかし本土壌改良資材では、ミョウバンを用いることにより二価鉄の状態で安定させることが可能となる。
その根拠として、本土壌改良資材は緑色透明である。この緑色は硫酸第一鉄の緑色であり、上記の説明の通り酸素と結合してないため二価の状態（緑色）で安定しているということが言える。硫酸鉄は強い酸性（ｐＨ3以下）でよく安定する。この特性に注目し、副原料としてミョウバンを選択した。ミョウバンは水に溶かし込むと強酸性に変化する。製造段階でミョウバンを溶かし込んだ液体に硫酸第一鉄を加えることにより、液体状でも硫酸鉄は二価の状態を保ち緑色を呈している。
また、本考案の300倍希釈液を使用して種子処理も可能であり、種子の大きさによって４分〜10分間溶液に漬し、その後陰干しする。本考案の原料である硫酸第一鉄、鉄ミョウバンにより種子がコートされ帯電作用を有することにより、発芽発根を促進させる。これにより様々な病害を寄せ付けない健全な苗を作ることが可能となる。
【実施例１】
【００１４】
本考案の土壌改良剤は使用にあたっては１００倍〜１０００倍に希釈して用いる。
なお、本考案の土壌改良剤における成分分析を蛍光Ｘ線法で行った結果を図１から５に示す。この結果から、成分中には、イオウ、塩素、カリウム、カルシウム、チタニウム、マンガン、鉄、亜鉛、ストロンチウム、窒素、臭素が含まれていることがわかる。また、Ｘ線回折法によると、主成分と思われる塩化マグネシウムを検出できた（図６・７）。さらに、イオンクロマト法においては、塩素とＳＯ４とが検出されている（図８）、他の主成分は硫酸第一鉄である。これらの成分により、防腐効果、殺菌効果、水質浄化作用、アンモニア臭の中和消臭効果（カリミョウバンに由来）がみとめられ、光合成を行う葉緑素の元になる（マグネシウムに由来）。
【実施例２】
【００１５】
本実施例においては、水田を改良する場合について説明する。乾田に動力散布機などで１００倍希釈溶液を散布した後、水を張る。水が張れたらロータリーにて十分攪拌する。この際に土壌中の余分な塩類等が溶け出し泡と一緒に水面に現れる。この泡は余分な塩基などが付着しているため、水田外に排出した方が良い。この際、全ての水を水田外に排出する。水が全量排出できたら、水田を３〜４日間干す。この作業を行わないと、土表面が柔らかくなりすぎて田植えができない可能性がある。
このような処理を行った水田は、根張りもよく、強風による倒伏を防ぐ。本土壌改良剤に含まれる塩素が窒素の過剰吸収を抑え、マグネシウム、カルシウム、カリ、ケイ酸などの吸収をたすけるため稔実が良くなる。
【実施例３】
【００１６】
次に、本考案を使用して、完熟堆肥の作成方法を説明する。
原料として、牛糞、鶏糞、豚糞などの動物糞尿のほかに、副資材として魚粉、油粕、骨粉、おがくずなどが使用可能である。牛糞はおがくず混入のものでもワラ混入のものでも良い。牛糞をメインにするときには牛糞１０：鶏糞又は豚糞３の割りあいで配合すれば、分解促進や栄養バランスの安定になる。それらの材料をよく攪拌し、小高く積み上げる（１ｍ以内）。本考案の土壌改良剤を２００倍（ｐＨ6.5〜７に調整）に希釈した溶液を作成し、その積み上げた材料にしっとり湿る程度までたっぷりとかける。それにより、材料が黒く変色し、アンモニア臭が消える。最後に材料の上からビニールを被せ、雨に打たれるのを防ぐ。時々切り替えしを行う。２回目の切り替えしから、用途に応じて油粕、魚粉、米糠等をまぜると良い。切り替えしの度に本考案の土壌改良剤を散布すると熟成が早まりバランスの良い、優れた堆肥が出来る。アンモニア臭が消えたら「ガス障害」すなわち、有機物が微生物により分解される際にアンモニアガスの発生が抑制される。このアンモニアガスは様々な病気の原因になり、本考案の土壌改良剤の原料のひとつである、ミョウバンはアンモニア中和分解作用があるため、有機物の分解時に発生するアンモニアを中和し、使用段階でガス障害などが発生しない安全で高級な堆肥の出来上がりとなる。
また、本考案を使用して、完熟有機肥料の作成方法を説明する。
他からの水分が入ってこないように周りより高くした土の上で鶏糞、魚粉、油粕、米ぬかこれらの材料を全て同割合で混ぜ合わせる。よく混ざったら、その上から土壌改良剤を２００倍に希釈したものをしっとりぬれる程度に散布する。１年に４回から５回、切り替えしを行うが、その度に本考案の土壌改良剤を２００倍に希釈したものを散布する。常に水分がある状態に保ち、乾燥させないことが重要である。乾燥すると途中で分解が止まってしまう。逆に水分が多すぎても腐る。従って、材料を強く握り締めた場合に、水が垂れない程度が目安となる。肥料の臭いをかいでみて土の臭いがすれば出来上がりである。なお、出来上がり以前の強制乾燥処理はガス障害を引き起こす肥料となるため、行ってはならない。アンモニア臭が残っている間は完成していない。
使用方法としては肥料の製造段階で土壌改良剤を「肥料を作るための材料」として使用する。すなわち、本考案の土壌改良資材を利用して高級な肥料をつくり、さらにそれを施す土壌をも本考案の土壌改良資材で改善しておくと申し分ない。
肥料を施しても土壌改良資材は使用する。特にボカシ肥料などは土に施肥してから微生物の分解力を借り、植物に利用されやすい形になる。
この際には必ずガスが発生し、植物に抵抗力がない場合（幼少時や病気時）には根が焼けたり窒素が根あたりしたりと様々な弊害が発生する。しかし、ぼかし肥料(有機発酵肥料)などを施肥した後本考案の土壌改良剤希釈液で土壌ごと処理しておけば、土壌のｐＨを適正（6.5前後）に保ち、同時にぼかし肥料の急激な分解を防ぎます。粗大有機物（ボカシ肥料）を分解するのが得意な糸状菌は高ｐＨ下（7〜8.5付近）で盛んに活動します。土壌のｐＨを6.5前後に保っていれば分解型糸状菌の爆発的増殖を防ぐためボカシ肥料の分解も穏やかに進みます。ガスの発生はぼかし肥料の分解具合に比例するので、一度に大量のガスが発生し根に障害を与えることはありません。
上記のようなことから有機質肥料をいれるのであれば、先に有機質肥料を入れてから本考案の土壌改良剤処理を行うのが望ましい。
【実施例４】
【００１７】
本考案を畑地に使用した場合について説明する。
小ねぎ栽培ハウスに本考案の土壌改良剤を使用する場合について説明する。播種１週間ほど前に、まず２００倍に希釈したものを散布する。なお、このとき、土壌改良剤の散布の偏りを無くすため、降雨中に行うか、ひと雨きそうな直前に散布するようにすると良い。
このような処理を行った畑地では、夏場の発芽が3〜4日は早くなり（従来は7日〜8日）、発芽も揃い、葉先の枯れが減少し、消毒の回数も激減する。これは本土壌改良資材が土壌の状態を大幅に改善した事で、植物が活性化し病気や虫を寄せ付けない、いっそう秀逸な小ネギが省力で収穫できたものと考えられる。
【実施例５】
【００１８】
さらに、本考案の施設園芸（グリーンアスパラガス）での使用実施例を説明する。
アスパラガスの栽培（ビニールハウス）に本考案の土壌改良剤を使用する場合について説明する。作付け時1週間ほど前にまず200倍に希釈したものを散布する。そして作付け後も４日〜7日間隔（作物の生育具合を見ながら変更可能）1000倍に希釈したものを植物体にかからないように谷間灌水もしくは灌注機にて灌注をおこなう。このような処理を行った施設園芸圃場は従来よりいっそう秀逸なアスパラガスが収穫できた（図１１）。たとえば、外見は鮮やかな黄緑色で、曲がりがほとんどなく秀品率は大幅に増加し根元まで完全にやわらかい。慣行栽培アスパラガス特有のにおい・えぐみもなく、さっと水洗いして根元まで生食できるほどである。慣行栽培における収穫後のアスパラガス株の切り口は腐っていたが本考案の土壌改良剤を使用して栽培すると収穫後の切り口は腐らない。慣行栽培法での夏期アスパラガスの先端は開き気味になり、商品価値は下がる。アスパラガスは展開していく茎を食用とするため、穂先が早く開くような栽培法は都合が悪い。しかし、本土壌改良資材を使用して栽培すると、この夏季のアスパラガス先端の開きが発生しないため商品価値は春物、秋物と大差なく安定した品質のものを継続して収穫できる。窒素過多や軟弱体のものは早く枝を出し葉を繁らせようとする（徒長状態という）。しかし、本土壌改良資材で土の状態を大幅に改善することにより、植物が本来もつ性質を最大限に高め、植物本位の生長を促し、欲しいときに欲しい栄養を植物が自ら取捨選択できるため、軟弱体や窒素過多などの状態に陥らない。このとき、ｐＨを測定したら、当初ｐＨ７．５のアルカリ性に傾いた土壌が、本考案の土壌改良剤を使用することでｐＨ６．２となっていた。
【実施例６】
【００１９】
本考案の土壌改良剤をりんご栽培に使用した例を説明する。上記実施例４と同様に作付け時（作付け後からでもかまわない）に散布し、以後実施例４の方法で主幹部分の下部から根張り部分土壌に散布する。さらに月１回の割りあいで土壌に散布すると、軟弱果や低糖果を防ぐ。このような方法で栽培したりんごと使用していないりんごの日持ち実験を行った。日向に同時に置いて経時変化を観察した。６０日経過後、図１２に示すように土壌改良剤を使用して栽培したりんごは新鮮さが持続し（左側）、全くしわだらけに変化したりんご（右側）と対比して対照的な結果となった。この理由は、本考案の原料であるマグネシウムやミョウバンが土壌を活性化しその結果としてりんごの細胞を強化し保水力を高め、同時に細胞の免疫力も高くなるからと思われる。
【実施例７】
【００２０】
本実施例では、ハウスによるイチゴ栽培について説明する。ある地域で毎年炭そ病や軟弱果に悩ませられている圃場の土壌を本考案の土壌改良剤で改良し、イチゴを栽培した。定植約1週間前に本土壌改良剤200倍液を散布する。さらにマルチングを行った後に潅水チューブより週に1回のペースで1000倍液を施用した。前年は定植から2ヶ月間ほどで3000本から4000本の数のイチゴの苗が病気で枯れたが、本考案の土壌改良剤を使用して土壌改良を行ったら2ヶ月間で200本から300本でおさまった。これは、本考案の土壌改良剤が土壌のｐＨを適正値に維持し、悪性の糸状菌や細菌などの活性を抑えるとともに、植物体内での窒素の代謝を促したことに起因すると考えられる。さらに塩化マグネシウム中に含まれる塩素が窒素の過剰吸収を抑え、病気に対する抵抗性を増大していると考えられる。
その結果図１３に示すように、定植4〜7日ほどで、株元を揺すってもビクともしないほどの根張りを実現するとともに、新葉や花芽の展開は著しく改善し素晴らしい植物生理活性効果と成長促進効果が認められた。
【実施例８】
【００２１】
本実施例では、本考案溶液による種子の処理方法について各種の種子ごとに説明する。
１）種子が大きい場合  （かぼちゃ、とうもろこし等）
３００倍希釈溶液（農業用水を用いる）に１０分間、溶液に浸す。その後陰干しする。
２）種子が小さい場合  （キャベツ、ごま等）
種子が小さいため、まず種子を布袋に入れ、３００倍希釈溶液（農業用水を用いる）に４〜５分間、強制的に沈める。その後布袋から取り出し、陰干しする。
３）穀物類（麦、米等）
３００倍希釈溶液（農業用水を用いる）を作り、中に処理したい穀物をそのまま入れる。よくかき混ぜた後、水が落ち着くのを待つ。希釈溶液を入れた容器の下部に沈んだ種子だけを使用する。水面に浮いたものや中間部に浮いているものは発芽しないか、発芽しても生育が悪いためである。この作業を７〜８分程度で行う。希釈溶液の入った容器の下部に沈んだ種子だけを取り出し、陰干しする。
４）コート種子の場合
育苗ポットに通常の方法で播種する。上から水を掛ける代わりに３００倍希釈溶液（農業用水を用いる）の入った容器に浸す。このとき、しばらく浸し、ポットの土表面まで水分が上がっていることを確認する。その後の管理は通常通りでかまわない。
以上のようにして、本考案の土壌改良剤を用いて種子処理を行うと、発根量が増し、秀逸な作物が生産可能となる。その原因としては、原料である硫酸第一鉄、鉄ミョウバンが種子に鉄の皮膜を形成し、土中に流れる電流を通し易くなったためと考えられる。さらには、原料であるカリミョウバンに由来するアンモニア中和作用により、種子自体が養分として過剰な窒素を吸収せずに済む。これにより様々な病害を寄せ付けない健全な苗が生産できる。
【実施例９】
【００２２】
本実施例では、本考案の消臭方法について具体的に説明する。
厩舎や堆肥センター、処理槽などの悪臭が発生する場所に本考案の土壌改良資材を100倍に希釈したものを満遍なく散布する。すると間もなく悪臭が消える。これは本考案の土壌改良剤の原料であるミョウバンのアンモニア中和分解作用に由来するところが大きい。本考案の土壌改良剤を100倍に希釈した場合（希釈用の水がｐＨ7.5の場合）ｐＨが4.5〜5前後となり、この希釈液を堆肥や厩肥などにかけることにより粗大有機物分解型の糸状菌（好気的）の増殖が抑えられるため、分解は穏やかに進む。ガスの発生量は有機物の分解速度に比例するため、急激な分解による異臭や悪臭の発生を最小限に抑えることとなる。
【実施例１０】
【００２３】
本実施例では、本考案の防虫方法について具体的に説明する。
厩舎や堆肥センターなど、ウジ虫やハエが発生する場所に本考案の土壌改良剤を100倍に希釈したものを満遍なく散布する。
本考案の土壌改良資材の原料であるミョウバンがアンモニアを中和分解するので、アンモニア臭に寄ってきていたハエの飛来を最小限に抑えることができる。
よって家畜糞尿などに飛来し産卵するハエなども比例して減少することになる。
【産業上の利用可能性】
【００２４】
本考案の土壌改良剤は、畑地、果樹など全てに対応可能で、簡便に良質な土壌への改良が可能となるため、産業上の利用可能性を有する。
【図１】
0003163227.tif 000003
【図２】
0003163227.tif 000004
【図３】
0003163227.tif 000005
【図４】
0003163227.tif 000006
【図５】
0003163227.tif 000007
【図６】
0003163227.tif 000008
【図７】
0003163227.tif 000009
【図８】
0003163227.tif 000010
【図９】
0003163227.tif 000011
【図１０】
0003163227.tif 000012
【図１１】
0003163227.tif 000013
【図１２】
0003163227.tif 000014
【図１３】
0003163227.tif 000015
【手続補正書】
【提出日】平成22年7月29日(2010.7.29)
【手続補正１】
【補正対象書類名】実用新案登録請求の範囲
【補正対象項目名】全文
【補正方法】変更
【補正の内容】
【実用新案登録請求の範囲】
【請求項１】
主成分が塩化マグネシウムおよび硫酸第一鉄であり、鉄ミョウバン及びカリミョウバンを加えてなる天然ミネラル鉄分主体の、直方形状容器に収容された土壌改良剤。
【請求項２】
請求項１に記載の土壌改良剤において、該土壌改良剤１０００リットル中、各成分の混合割合が、塩化マグネシウム約２５０ｋｇ、硫酸第一鉄約１５０ｋｇ、鉄ミョウバン約５ｋｇ、カリミョウバン約５ｋｇであることを特徴とする、直方形状容器に収容された土壌改良剤。
【請求項３】
牛糞、鶏糞、豚糞、魚粉、油粕、骨粉、おがくず、米ぬかの少なくとも２種以上をよく攪拌配合し、小高く積み上げ、これに請求項１又は２記載の本考案の土壌改良剤を２００倍に希釈した溶液を材料がしっとりと湿る程度にかけ、ビニールを表面にかぶせ、時々切り替えしを行い、アンモニア臭がなくなるまで土壌改良剤の散布と切り返しを行い、枕状の袋に収納したことを特徴とする完熟堆肥・肥料。
【手続補正２】
【補正対象書類名】明細書
【補正対象項目名】０００６
【補正方法】変更
【補正の内容】
【０００６】
本考案に係る天然ミネラル鉄分主体の土壌改良剤は、主成分が塩化マグネシウムおよび硫酸第一鉄であり、鉄ミョウバン及びカリミョウバンを加えてなり、直方形状容器に収容されたことを要旨とする。
【手続補正３】
【補正対象書類名】明細書
【補正対象項目名】０００７
【補正方法】変更
【補正の内容】
【０００７】
また、本考案に係る天然ミネラル鉄分主体の土壌改良剤は、前記土壌改良剤において、土壌改良剤１０００リットル中、各成分の混合割合が、塩化マグネシウム約２５０ｋｇ、硫酸第一鉄約１５０ｋｇ、鉄ミョウバン約５ｋｇ、カリミョウバン約５ｋｇであり、直方形状容器に収容されたことを要旨とする。
【手続補正４】
【補正対象書類名】明細書
【補正対象項目名】０００８
【補正方法】変更
【補正の内容】
【０００８】
また、本考案に係る土壌改良剤を用いて作成する完熟堆肥・肥料は、牛糞、鶏糞、豚糞、魚粉、油粕、骨粉、おがくず、米ぬかの少なくとも２種以上をよく攪拌配合し、小高く積み上げ、これに前記土壌改良剤を２００倍に希釈した溶液を材料がしっとりと湿る程度にかけ、ビニールを表面にかぶせ、時々切り替えしを行い、アンモニア臭がなくなるまで土壌改良剤の散布と切り返しを行い、枕状の袋に収納したことを要旨とする。